(57)【要約】      （修正有）【課題】本発明者は２００６年１月１１日提出した特許願の「請求項８」のＥ＝２．２９×１０１０×ｍはどのようなエネルギーであるのか。電子と陽子の軌道エネルギーとは何か。電子の秒速はどのように成っているか。光子の軌道エネルギーはどのように変化するか。【解決手段】電子のラブが１ｍ走ってできる光子のエネルギー＝電子のラブの質量エネルギー×２．５４８×１０−７＝ｍｃ２×２．５４８×１０−７＝ｍ×９×１０１６×２．５４８×１０−７＝ｍ×２．２９３２×１０１０よって、電子のラブが１ｍ走ってできる光子のエネルギー＝０．８８９×１０−３０ｇ×２．２９３２×１０１０Ｊ＝２×１０−２０Ｊ電子の軌道エネルギーとは、電子のラブがその軌道を走って回転する時のエネルギーであり、電子の軌道エネルギー＝電子のラブがその軌道を１週するときの距離×２×１０−２０Ｊ／ｍ＝３．１４×軌道×２×１０−２０Ｊ／ｍです。電子のラブの運動するエネルギーが光子のエネルギーになる。秒速は一定です。光子の軌道とエネルギーは反比例する。【選択図】図１
2006204093.tif 000002
【特許請求の範囲】
【請求項１】
地球において、原子の中を回転する電子のラブの秒速は一定である。
【請求項２】
地球において、原子の中を回転する陽子のラブの秒速は一定である。
【請求項３】
軌道エネルギーには大別すると２種類ある。
１つは、電子のラブが回転する軌道エネルギーです。
１つは、光子が回転する軌道エネルギーです。
【請求項４】
電子のラブが回転する軌道エネルギーには２種類ある。光子が回転する軌道エネルギーには２種類ある。
電子のラブは自転しながら公転する。電子のラブが自転する軌道エネルギーは自転軌道エネルギーである。電子のラブが公転する軌道エネルギーは公転軌道エネルギーである。
光子の軌道エネルギーには２種類ある。１つは磁気の光子の軌道エネルギーであり、１つは電気の光子の軌道エネルギーである。
電子のラブが自転する事によって磁気の光子ができる。磁気の光子が回転する軌道のエネルギーが磁気の光子の軌道エネルギーである。
電子のラブが公転する事によって電気の光子ができる。電気の光子が回転する軌道のエネルギーが電気の光子の軌道エネルギーである。
☆本発明者は、走って回転する状態を走ると表現しています。
【請求項５】
電子のラブが作る光子のエネルギーについて。
電子のラブが１秒間に作る光子のエネルギーは、
電子のラブの質量エネルギー×公転軌道×１秒間の自転数×８×１０−７ｍ＝電子のラブの質量エネルギー×１秒間に走った距離÷３．１４×８×１０−７＝電子のラブの質量エネルギー×１秒間に走った距離×２．５４８×１０−７＝電子のラブの質量エネルギー×２．５４８×１０−７×１秒間に走った距離
この式から、
電子のラブの質量エネルギー×２．５４８×１０−７×１秒間に走った距離電子のラブは１秒間走った場合にできる光子のエネルギーです。
それで、電子のラブの質量エネルギー×２．５４８×１０−７は電子のラブが１ｍ走ってできる光子のエネルギーです。
電子のラブの質量エネルギー×２．５４８×１０−７＝電子のラブが１ｍ走ってできる光子のエネルギー
電子のラブが１ｍ走ってできる光子のエネルギー＝電子のラブの質量エネルギー×２．５４８×１０−７
本発明者は２００６年１月１１日に提出した特許願の「請求項８」で、Ｅ＝ｍｃ２は爆発のエネルギーです。と記したがこれは誤りです。Ｅ＝ｍｃ２は１秒間にできるできる光子のエネルギーです。
爆発で無いエネルギーはどれ位なのか。爆発でないエネルギーはどのような式で求められるのか。と記したが、これは、電子のラブが１ｍ走ってできる光子のエネルギーはどれ位なのか。電子のラブが１ｍ走ってできる光子のエネルギーはどのような式で求められるのか。です。
【請求項６】
電子のラブが１ｍ走ってできる光子のエネルギーはどのような式で求められるのか。電子のラブが１ｍ走ってできる光子のエネルギーはどれ位なのか。陽子のラブが１ｍ走ってできる光子のエネルギーはどのような式で求められるのか。陽子のラブが１ｍ走ってできる光子のエネルギーはどれ位なのか。
１秒間にできる光子のエネルギー＝電子のラブの質量エネルギー×２．５４８×１０−７×１秒間に走った距離＝電子のラブが１ｍ走ってできる光子のエネルギー×１秒間に走った距離
電子のラブが１ｍ走ってできる光子のエネルギー＝電子のラブの質量エネルギー×２．５４８×１０−７＝ｍｃ２×２．５４８×１０−７＝ｍ×９×１０１６×２．５４８×１０−７＝ｍ×２．２９３２×１０１０
よって、
電子のラブが１ｍ走ってできる光子のエネルギー＝ｍ×２．２９３２×１０１０Ｊの式で求められる。
電子のラブが１ｍ走ってできる光子のエネルギー＝０．８８９×１０−３０ｇ×２．２９３２×１０１０Ｊ＝２．０３８７×１０−２０Ｊです。
電子のラブが１ｍ走ってできる光子のエネルギーは２．０３８７×１０−２０Ｊです。
電子のラブが１ｍ走ってできる光子のエネルギー＝ｍ×２．２９３２×１０１０Ｊの式で求められる。
陽子のラブが１ｍ走ってできる光子のエネルギーは、
ｍ×２．２９３２×１０１０＝１．６６７×１０−２７ｇ×２．２９３２×１０１０＝３．８２２８×１０−１７Ｊです。
また、
電子のラブが１ｍ走ってできる光子のエネルギー＝電子のラブの質量エネルギー×２．５４８×１０−７です。
ラブが１ｍ走ってできる光子のエネルギーの式は、
ラブが１ｍ走ってできる光子のエネルギー＝ラブの質量エネルギー×２．５４８×１０−７です。
電子のラブが１ｍ走ってできる光子のエネルギー＝電子のラブの質量エネルギー×２．５４８×１０−７＝８×１０−１４Ｊ×２．５４８×１０−７＝２．０３８４×１０−２０Ｊ
陽子のラブが１ｍ走ってできる光子のエネルギー＝陽子のラブの質量エネルギー×２．５４８×１０−７＝１．５×１０−１０×２．５４８×１０−７＝３．８２２×１０−１７Ｊ
この単位はＪ／ｍです。
電子のラブが１ｍ走ってできる光子のエネルギーは２×１０−２０Ｊ／ｍです。
陽子のラブが１ｍ走ってできる光子のエネルギーは３．８２×１０−１７Ｊ／ｍです。
但し、この値は、原子の中で、電子のラブが秒速４×１０６ｍで走るとした場合です。
原子の中で、陽子のラブが秒速２．１×１０３ｍで走るとした場合です。
【請求項７】
電子のラブが１ｍ走ってできる光子のエネルギーは２×１０−２０Ｊ／ｍです。陽子のラブが１ｍ走ってできる光子のエネルギーは３．８２×１０−１７Ｊ／ｍです。この事は何を意味するか。
▲１▼電子のラブが１ｍ走ってできる光子のエネルギーは、電子のラブが１ｍ走る時のエネルギーです。陽子のラブが１ｍ走ってできる光子のエネルギーは、陽子のラブが１ｍ走る時のエネルギーです。
この事は、電子のラブが走ったエネルギーが光子のエネルギーに成る事を意味する。
陽子のラブが走ったエネルギーが光子のエネルギーに成る事を意味する。
エネルギーは保存される事を意味する。
▲２▼軌道のエネルギーとは、ラブがその軌道を走るエネルギーである事を意味する。
軌道のエネルギーとは、ラブがその軌道を走ってできた光子のエネルギーである事を意味する。
電子の軌道のエネルギー＝軌道を１週した距離×電子のラブが１ｍ走る時のエネルギー＝軌道を１週した距離×電子のラブが１ｍ走ってできた光子のエネルギー＝３．１４×軌道×２×１０−２０Ｊ／ｍ＝６．２８×１０−２０Ｊ／ｍ×軌道
陽子の軌道のエネルギー＝軌道を１週した距離×陽子のラブが１ｍ走る時のエネルギー＝軌道を１週した距離×陽子のラブが１ｍ走ってできた光子のエネルギー＝３．１４×軌道×３．８２×１０−１７Ｊ／ｍ＝１．２×１０−１６Ｊ／ｍ×軌道
☆従って、ラブの軌道が大きいとラブの軌道のエネルギーは大きい。
▲３▼電子のラブがどの軌道を走っても、１秒間にできる光子のエネルギーは８×１０−１４Ｊである事を意味する。陽子のラブがどの軌道を走っても、１秒間にできる光子のエネルギーは８×１０−１４Ｊである事を意味する。
電子のラブの場合。
１秒間にできる光子のエネルギー＝電子のラブが１ｍ走ってできる光子のエネルギー×電子の秒速＝２×１０−２０Ｊ／ｍ×４×１０６ｍ＝８×１０−１４Ｊ
陽子のラブの場合。
１秒間にできる光子のエネルギー＝陽子のラブが１ｍ走ってできる光子のエネルギー×陽子の秒速＝３．８２×１０−１７Ｊ／ｍ×２．１×１０３ｍ＝８×１０−１４Ｊ
【請求項８】
電子のラブが公転する軌道エネルギーについて。
▲１▼電子のラブが１０−１１ｍの軌道を公転する場合。
電子のラブが１公転するエネルギーは、
電子のラブが１ｍ走るエネルギー×電子のラブが走った距離＝２×１０−２０Ｊ／ｍ×３．１４×１０−１１ｍ＝６．２８×１０−３１Ｊ  です。
電子のラブが１公転して作る電気の光子１個のエネルギーは、
電子のラブが１ｍ走ってできる光子のエネルギー×電子のラブが走った距離＝２×１０−２０Ｊ／ｍ×３．１４×１０−１１ｍ＝６．２８×１０−３１Ｊ  です。
電子のラブの１秒間の公転数は、
４×１０６ｍ÷（３．１４×１０−１１ｍ）＝１．２７４×１０１７回です。
電子のラブが１秒間に作る電気の光子のエネルギーは、
６．２８×１０−３１Ｊ×１．２７４×１０１７回＝８×１０−１４Ｊです。
▲２▼電子のラブが１．２５×１０−１０ｍの軌道を公転する場合。
電子のラブが１公転するエネルギーは、
電子のラブが１ｍ走るエネルギー×電子のラブが走った距離＝２．０３８７×１０−２０Ｊ／ｍ×３．１４×１．２５×１０−１０ｍ＝８×１０−３０Ｊ  です。
電子のラブが１公転して作る電気の光子１個のエネルギーは、
電子のラブが１ｍ走ってできる光子のエネルギー×電子のラブが走った距離＝２．０３８７×１０−２０Ｊ／ｍ×３．１４×１．２５×１０−１０ｍ＝８×１０−３０Ｊ  です。
電子のラブの１秒間の公転数は、
４×１０６ｍ÷（３．１４×１．２５×１０−１０ｍ）＝１０１６回です。
電子のラブが１秒間に作る電気の光子のエネルギーは、
８×１０−３０Ｊ×１０１６回＝８×１０−１４Ｊです。
▲３▼電子のラブが１０−９ｍの軌道を公転する場合。
電子のラブが１公転するエネルギーは、
電子のラブが１ｍ走るエネルギー×電子のラブが走った距離＝２×１０−２０Ｊ／ｍ×３．１４×１０−９ｍ＝６．２８×１０−２９Ｊ  です。
電子のラブが１公転して作る電気の光子１個のエネルギーは、
電子のラブが１ｍ走ってできる光子のエネルギー×電子のラブが走った距離＝２×１０−２０Ｊ／ｍ×３．１４×１０−９ｍ＝６．２８×１０−２９Ｊ  です。
電子のラブの１秒間の公転数は、
４×１０６ｍ÷（３．１４×１０−９ｍ）＝１．２７４×１０１５回です。
電子のラブが１秒間に作る電気の光子のエネルギーは、
６．２８×１０−２９Ｊ×１．２７４×１０１５回＝８×１０−１４Ｊです。
【請求項９】
電子のラブが自転する軌道について。
▲１▼電子のラブが１０−１１ｍの軌道を公転する場合。
電子のラブの自転軌道は、１０−１１ｍ÷１０８＝１０−１９ｍです。
電子のラブの１秒間の自転数は、１．２７４×１０１７回×１０８＝１．２７４×１０２５回です。
電子のラブが１自転してできる磁気の光子１個のエネルギーは、６．２８×１０−３１Ｊ÷１０８＝６．２８×１０−３９Ｊです。
電子のラブが１秒間に作る磁気の光子のエネルギーは、６．２８×１０−３９Ｊ×１．２７４×１０２５回＝８×１０−１４Ｊです。
▲２▼電子のラブが１．２５×１０−１０ｍの軌道を公転する場合。
電子のラブの自転軌道は、１．２５×１０−１０ｍ÷１０８＝１．２５×１−１８ｍです。
電子のラブの１秒間の自転数は、１０１６回×１０８＝１０２４回です。
電子のラブが１自転してできる磁気の光子１個のエネルギーは、８×１０−３０Ｊ÷１０８＝８×１０−３８Ｊです。
電子のラブが１秒間に作る磁気の光子のエネルギーは、８×１０−３８Ｊ×１０２４回＝８×１０−１４Ｊです。
▲３▼電子のラブが１０−９ｍの軌道を公転する場合。
電子のラブの自転軌道は、１０−９ｍ÷１０８＝１０−１７ｍです。
電子のラブの１秒間の自転数は、１．２７４×１０１５回×１０８＝１．２７４×１０２３回です。
電子のラブが１自転してできる磁気の光子１個のエネルギーは、６．２８×１０−２９Ｊ÷１０８＝６．２８×１０−３７Ｊです。
電子のラブが１秒間に作る磁気の光子のエネルギーは、６．２８×１０−３７Ｊ×１．２７４×１０２３回＝８×１０−１４Ｊです。
【請求項１０】
光子の軌道エネルギーについて。光子のエネルギーは軌道が大きくなるとエネルギーはどのようになるか。
☆光子の軌道エネルギーは軌道が大きくなるとエネルギーは小さくなる。
光子の軌道とエネルギーは反比例する。
磁気の光子は１公転の間に１０８個ある。
それで、１公転の軌道が１０倍になると、磁気の光子の軌道は１０倍に成る。そして、エネルギーは１０分の１になる。
磁気の光子１個の軌道は１０倍になる。そして、磁気の光子１個のエネルギーは１／１０になる。
▲１▼電子のラブが１０−１１ｍの軌道を公転する場合。
○電子のラブが１０−１１ｍの軌道を公転するとき、電気の光子の軌道は１０−１１ｍです。
電気の光子の１秒間の公転数は、１．２７４×１０１７回です。
電気の光子は１秒間に、１．２７４×１０１７個できます。
電子のラブが１公転して作る電気の光子１個のエネルギーは、６．２８×１０−３１Ｊです。
電子のラブが１秒間に作る電気の光子のエネルギーは、８×１０−１４Ｊです。
・この電気の光子の軌道が１００倍の１０−９ｍになると、電気の光子１個のエネルギーは１００分の１に成ります。
この電気の光子の軌道が１０−９ｍになると、電気の光子の１個のエネルギーは６．２８×１０−３３Ｊに成ります。
この電気の光子の軌道が１０−９ｍになると、１秒間にできた磁気の光子のエネルギーは、１秒間にできた電気の光子の数×電気の光子の１個のエネルギー＝１．２７４×１０１７個×６．２８×１０−３３Ｊ＝８×１０−１６Ｊになります。
△電子のラブが１０−１１ｍの軌道を公転するとき、自転軌道は１０−１９ｍです。磁気の光子の軌道は１０−１９ｍです。
磁気の光子の１秒間の自転数は、１．２７４×１０１７＋８＝１．２７４×１０２５回です。
磁気の光子は１秒間に、１．２７４×１０２５個できます。
電子のラブが１自転して作る磁気の光子１個のエネルギーは、６．２８×１０−３１−８Ｊ＝６．２８×１０−３９Ｊです。
電子のラブが１秒間に作る磁気の光子のエネルギーは、６．２８×１０−３９Ｊ×１．２７４×１０２５個＝８×１０−１４Ｊです。
・この磁気の光子の軌道が１００倍の１０−１７ｍになると、磁気の光子１個のエネルギーは１００分の１に成ります。
この磁気の光子の軌道が１０−１７ｍになると、磁気の光子の１個のエネルギーは６．２８×１０−３９−２Ｊ＝６．２８×１０−４１Ｊに成ります。
この磁気の光子の軌道が１０−１７ｍになると、１秒間にできた磁気の光子のエネルギーは、１秒間にできた磁気の光子の数×磁気の光子の１個のエネルギー＝１．２７４×１０２５個×６．２８×１０−４１Ｊ＝８×１０−１６Ｊになります。
▲２▼電子のラブが１．２５×１０−１０ｍの軌道を公転する場合。
○電子のラブが１．２５×１０−１０ｍの軌道を公転するとき、電気の光子の軌道は１．２５×１０−１０ｍです。
電気の光子の１秒間の公転数は、１０１６回です。
電気の光子は１秒間に、１０１６個できます。
電子のラブが１公転して作る電気の光子１個のエネルギーは、８×１０−３０Ｊです。
電子のラブが１秒間に作る電気の光子のエネルギーは、８×１０−１４Ｊです。
この電気の光子の軌道が１００倍の１．２５×１０−８ｍになると、電気の光子１個のエネルギーは１００分の１に成ります。
・この電気の光子の軌道が１．２５×１０−１８ｍになると、電気の光子の１個のエネルギーは８×１０−３２Ｊに成ります。
この電気の光子の軌道が１．２５×１０−８ｍになると、１秒間にできた磁気の光子のエネルギーは、
１秒間にできた電気の光子の数×電気の光子の１個のエネルギー＝１０１６個×８×１０−３２Ｊ＝８×１０−１６Ｊになります。
△電子のラブが１．２５×１０−１０ｍの軌道を公転するとき、自転軌道は１．２５×１０−１８ｍです。磁気の光子の軌道は１．２５×１０−１８ｍです。
磁気の光子の１秒間の自転数は、１０１６＋８＝１０２４回です。
磁気の光子は１秒間に、１０１６＋８個＝１０２４個できます。
電子のラブが１自転して作る磁気の光子１個のエネルギーは、８×１０−３０−８Ｊ＝８×１０−３８Ｊです。
電子のラブが１秒間に作る磁気の光子のエネルギーは、８×１０−３８Ｊ×１０２４個＝８×１０−１４Ｊです。
・この磁気の光子の軌道が１００倍の１．２５×１０−１６ｍになると、磁気の光子１個のエネルギーは１００分の１に成ります。
この磁気の光子の軌道が１．２５×１０−１６ｍになると、磁気の光子の１個のエネルギーは８×１０−３８−２Ｊ＝８×１０−４０Ｊに成ります。
この磁気の光子の軌道が１．２５×１０−１６ｍになると、１秒間にできた磁気の光子のエネルギーは、
１秒間にできた磁気の光子の数×磁気の光子の１個のエネルギー＝１０２４個×８×１０−４０Ｊ＝８×１０−１６Ｊになります。
▲３▼電子のラブが１０−９ｍの軌道を公転する場合。
○電子のラブが１０−９ｍの軌道を公転するとき、電気の光子の軌道は１０−９ｍです。
電気の光子の１秒間の公転数は、１．２７４×１０１５回です。
電気の光子は１秒間に、１．２７４×１０１５個できます。
電子のラブが１公転して作る電気の光子１個のエネルギーは、６．２８×１０−２９Ｊです。
電子のラブが１秒間に作る電気の光子のエネルギーは、８×１０−１４Ｊです。
・この電気の光子の軌道が１００倍の１０−７ｍになると、電気の光子１個のエネルギーは１００分の１に成ります。
この電気の光子の軌道が１０−７ｍになると、電気の光子の１個のエネルギーは６．２８×１０−３１Ｊに成ります。
この電気の光子の軌道が１０−７ｍになると、１秒間にできた磁気の光子のエネルギーは、１秒間にできた電気の光子の数×電気の光子の１個のエネルギー＝１．２７４×１０１５個×６．２８×１０−３１Ｊ＝８×１０−１６Ｊになります。
△電子のラブが１０−９ｍの軌道を公転するとき、自転軌道は１０−１７ｍです。磁気の光子の軌道は１０−１７ｍです。
磁気の光子の１秒間の自転数は、１．２７４×１０１５＋８＝１．２７４×１０２３回です。
磁気の光子は１秒間に、１．２７４×１０２３個できます。
電子のラブが１自転して作る磁気の光子１個のエネルギーは、６．２８×１０−２９−８Ｊ＝６．２８×１０−３７Ｊです。
電子のラブが１秒間に作る磁気の光子のエネルギーは、６．２８×１０−３７Ｊ×１．２７４×１０２３個＝８×１０−１４Ｊです。
・この磁気の光子の軌道が１００倍の１０−１５ｍになると、磁気の光子１個のエネルギーは１００分の１に成ります。
この磁気の光子の軌道が１０−１５ｍになると、磁気の光子の１個のエネルギーは６．２８×１０−３７−２Ｊ＝６．２８×１０−３９Ｊに成ります。
この磁気の光子の軌道が１０−１５ｍになると、１秒間にできた磁気の光子のエネルギーは、１秒間にできた磁気の光子の数×磁気の光子の１個のエネルギー＝１．２７４×１０２３個×６．２８×１０−３９Ｊ＝８×１０−１６Ｊになります。
【請求項１１】
本発明者は２００５年１２月１２日に特願２００５−３８０９２５、「中性子と素粒子５」を提出した。その時、ラブは１秒間に１０１６回公転し、１０２４回自転すると考えていた。秒速は変わると考えていた。
「請求項５」で、ラブの秒速は、秒速＝３．１４×公転軌道×１０１６回＝３．１４×６．３１３５×１０−１４ｍ×Ａ×１０１６＝１．９８２４×１０８ｍ×Ａとした。
しかし、今回は、地球において、原子の中を回転する電子のラブの秒速は一定である。
地球において、原子の中を回転する陽子のラブの秒速は一定である。と考える。
特願２００５−３８０９２５の「請求項５」は次のようになります。
核磁気モーメントが＋Ａ又は、−Ａの場合、ラブの自転軌道と、ラブの公転軌道と、１秒間のラブの自転数と、１秒間のラブの公転数と、ラブが１秒間自転してできる磁気の光子のエネルギーと、ラブが１自転してできる磁気の光子１個のエネルギーと、ラブが１自転してできる磁気の光子１個のエネルギー×ラブの自転軌道と、ラブが１秒間自転してできる磁気の光子のエネルキー×ラブの自転軌道と、ラブが１秒間自転してできる磁気の光子のエネルギー×ラブの公転軌道、の式はどのようであるか。
・ラブの自転軌道は、核磁子の自転軌道×Ａ＝６．３１３５×１０−２２ｍ×Ａ  です。
・ラブの公転軌道は、核磁子の自転軌道×１０８×Ａ＝６．３１３５×１０−２２ｍ×１０８×Ａ  です。
・１秒間のラブの自転数は、秒速÷（３．１４×ラブの自転軌道）＝２．１×１０３ｍ÷（３．１４×６．３１３５×１０−２２ｍ×Ａ）＝１．０６×１０２４÷Ａ  です。
・１秒間のラブの公転数は、秒速÷（３．１４×ラブの公転軌道）＝２．１×１０３ｍ÷（３．１４×６．３１３５×１０−２２ｍ×１０８×Ａ）＝１．０６×１０１６÷Ａ  です。
・ラブが１秒間自転してできる磁気の光子のエネルギー＝８×１０−１４Ｊ
・ラブが１自転してできる磁気の光子１個のエネルギー＝１秒間にできるエネルギー÷１秒間にできる磁気の光子の数（＝１秒間の自転数）＝８×１０−１４Ｊ÷（１．０６×１０２４÷Ａ）＝７．５４７×１０−３８Ｊ×Ａ
・ラブが１自転してできる磁気の光子１個のエネルギー×ラブの自転軌道＝７．５４７×１０−３８Ｊ×Ａ×６．３１３５×１０−２２ｍ×Ａ＝４．７６４８×１０−５９Ｊ・ｍ
・ラブが１秒間自転してできる磁気の光子のエネルギー×ラブの自転軌道＝８×１０−１４Ｊ×６．３１３５×１０−２２ｍ×Ａ＝５．０５０８×１０−３５×ＡＪ・ｍ
・ラブが１秒間自転してできる磁気の光子のエネルギー×ラブの公転軌道＝８×１０−１４Ｊ×６．３１３５×１０−１４ｍ×Ａ＝５．０５０８×１０−２７×ＡＪ・ｍ
【請求項１２】
特願２００５−３８０９２５の「請求項６」は次のようになります。
中性子の核磁気モーメントは、−１．９１３です。中性子の電子のラブの自転軌道と公転軌道はどれ位か。中性子の陽子のラブの自転軌道と公転軌道はどれ位か。中性子の電子のラブの１秒間の自転数と公転数はどれ位か。中性子の陽子のラブの１秒間の自転数はどれ位か。中性子の電子のラブが１秒間自転してできる磁気の光子のエネルギーはいくらか。中性子の陽子のラブが１秒間自転してできる磁気の光子のエネルギーはいくらか。中性子の電子のラブが１自転してできる磁気の光子１個のエネルギーはどれ位か。中性子の陽子のラブが１自転してできる磁気の光子１個のエネルギーはどれ位か。中性子の電子のラブの自転軌道×中性子の電子のラブが１自転してできる磁気の光子１個のエネルギーはどれ位か。中性子の電子のラブの自転軌道×中性子の電子のラブが１秒間自転してできる磁気の光子のエネルギーはどれ位か。中性子の陽子のラブの自転軌道×中性子の陽子のラブが１秒間自転してできる磁気の光子のエネルギーはどれ位か。中性子の電子のラブの公転軌道×中性子の電子のラブが１秒間自転してできる磁気の光子のエネルギーはどれ位か。中性子の陽子のラブの公転軌道×中性子の陽子のラブが１秒間自転してできる磁気の光子のエネルギーはどれ位か。
・中性子の電子のラブの自転軌道は、６．３１３５×１０−２２ｍ×１．９１３＝１．２０７８×１０−２１ｍです。
・中性子の電子のラブの公転軌道は、６．３１３５×１０−１４ｍ×１．９１３＝１．２０７８×１０−１３ｍです。
・中性子の陽子のラブの自転軌道は、中性子の電子のラブの自転軌道の１８７５分の１ですから、中性子の電子のラブの自転軌道÷１８７５＝１．２０７８×１０−２１ｍ÷１８７５＝６．４４１×１０−２５ｍです。
・中性子の陽子のラブの公転軌道は中性子の電子のラブの公転軌道と同じです。
・中性子の電子のラブの１秒間の自転数は、秒速÷（３．１４×自転軌道）＝４×１０６ｍ÷（３．１４×１．２０７８×１０−２１ｍ）＝１．０５５×１０２７回です。
・中性子の電子のラブの１秒間の公転数は、秒速÷（３．１４×公転軌道）＝４×１０６ｍ÷（３．１４×１．２０７８×１０−１３ｍ）＝１．０５５×１０１９回です。
・中性子の陽子のラブの自転数は、秒速÷（３．１４×自転軌道）＝２．１×１０３ｍ÷（３．１４×６．４４１×１０−２５ｍ）＝１．０３８×１０２７回です。
・中性子の電子のラブが１秒間自転してできる磁気の光子のエネルギーは、８×１０−１４Ｊです。
・中性子の陽子のラブが１秒間自転してできる磁気の光子のエネルギーは、８×１０−１４Ｊです。
・中性子の電子のラブが１自転してできる磁気の光子１個のエネルギーは、１秒間にできる磁気の光子のエネルギー÷１秒間にできる磁気の光子の数（＝１秒間の自転数）＝８×１０−１４Ｊ÷（１．０５５×１０２７個）＝７．５８３×１０−４１Ｊです。
・中性子の陽子のラブが１自転してできる磁気の光子１個のエネルギーは、１秒間にできる磁気の光子のエネルギー÷１秒間にできる磁気の光子の数（＝１秒間の自転数）＝８×１０−１４Ｊ÷（１．０３８×１０２７個）＝７．７１×１０−４１Ｊです。
・中性子の電子のラブの自転軌道×中性子の電子のラブが１自転してできる磁気の光子１個のエネルギーは、１．２０７８×１０−２１ｍ×７．５８３×１０−４１Ｊ＝９．１５８７×１０−６２Ｊ・ｍです。
・中性子の電子のラブの自転軌道×中性子の電子のラブが１秒間自転してできる磁気の光子のエネルギーは、１．２０７８×１０−２１ｍ×８×１０−１４Ｊ＝９．６６２４×１０−３５Ｊです。
・中性子の陽子のラブの自転軌道×中性子の陽子のラブが１秒間自転してできる磁気の光子のエネルギーは、６．４４１×１０−２５ｍ×８×１０−１４Ｊ＝５．１５２８×１０−３８Ｊです。
・中性子の電子のラブの公転軌道×中性子の電子のラブが１秒間自転してできる磁気の光子のエネルギーは、１．２０７８×１０−１３ｍ×８×１０−１４Ｊ＝９．６６２４×１０−２７Ｊです。
・中性子の陽子のラブの公転軌道×中性子の陽子のラブが１秒間自転してできる磁気の光子のエネルギーは、１．２０７８×１０−１３ｍ×８×１０−１４Ｊ＝９．６６２４×１０−２７Ｊです。
【請求項１３】
特願２００５−３８０９２５の「請求項７」は次のようになります。
核磁気モーメントの＋Ａの平均は約＋０．７です。この場合、陽子のラブの自転軌道と、陽子のラブの公転軌道と、陽了のラブの１秒間の自転数と、陽子のラブの１秒間の公転数と、陽子のラブが１自転してできる磁気の光子１個のエネルギーと、陽子のラブの自転軌道×陽子のラブが１自転してできる磁気の光子１個のエネルギーと、陽子のラブの自転軌道×陽子のラブが１秒間自転してできる磁気の光子のエネルギーと、陽子のラブの公転軌道×陽子のラブが１秒間自転してできる磁気の光子のエネルギー、はどれ位か。
・陽子のラブの自転軌道は、６．３１３５×１０−２２ｍ×０．７＝４．４１９×１０−２２ｍです。
・陽子のラブの公転軌道は、４．４１９×１０−２２ｍ×１０８＝４．４１９×１０−１４ｍです。
・陽子のラブの１秒間の自転数は、秒速÷（３．１４×自転軌道）＝２．１×１０３ｍ÷（３．１４×４．４１９×１０−２２ｍ）＝１．５１３×１０２４回です。
・陽子のラブの１秒間の公転数は、秒速÷（３．１４×公転軌道）＝２．１×１０３ｍ÷（３．１４×４．４１９×１０−１４ｍ）＝１．５１３×１０１６回です。
・陽子のラブが１自転してできる磁気の光子１個のエネルギーは、１秒間にできる磁気の光子のエネルキー÷１秒間にできる磁気の光子の数（＝自転数）＝８×１０−１４Ｊ÷（１．５１３×１０２４個）＝５．２８７５×１０−３８Ｊです。
・陽子のラブの自転軌道×陽子のラブが１自転してできる磁気の光子１個のエネルギー＝４．４１９×１０−２２ｍ×５．２８７５×１０−３８Ｊ＝２．３３６５×１０−５９Ｊ・ｍです。
・陽子のラブの自転軌道×陽子のラブが１秒間自転してできる磁気の光子のエネルギー＝４．４１９×１０−２２ｍ×８×１０−１４Ｊ＝３．５３５２×１０−３５Ｊ・ｍです。
・陽子のラブの公転軌道×陽子のラブが１秒間自転してできる磁気の光子のエネルギー＝４．４１９×１０−１４ｍ×８×１０−１４Ｊ＝３．５３５２×１０−２７Ｊ・ｍです。
【請求項１４】
特願２００５−３８０９２５の「請求項８」は次のようになります。
核磁気モーメントの−Ａの平均は約−０．１５です。この場合、中性子の電子のラブの自転軌道と、中性子の電子のラブの公転軌道と、中性子の陽子のラブの自転軌道と、中性子の電子のラブの自転数と、中性子の電子のラブの公転数と、中性子の陽子のラブの自転数と、中性子の陽子のラブの公転軌道と公転数、中性子の電子のラブが１自転してできる磁気の光子１個のエネルギーと、中性子の陽子のラブが１自転してできる磁気の光子１個のエネルギーと、中性子の電子のラブの自転軌道×中性子の電子のラブが１自転してできる磁気の光子１個のエネルギーと、中性子の電子のラブの自転軌道×中性子の電子のラブが１秒間自転してできる磁気の光子のエネルギーと、中性子の陽子のラブの自転軌道×中性子の陽子のラブが１秒間自転してできる磁気の光子のエネルギーと、中性子の電子のラブの公転軌道×中性子の電子のラブが１秒間自転してできる磁気の光子のエネルギーと、中性子の陽子のラブの公転軌道×中性子の陽子のラブが１秒間自転してできる磁気の光子のエネルギー、  はどれ位か。
・中性子の電子のラブの自転軌道は、６．３１３５×１０−２２ｍ×０．１５＝９．４７×１０−２３ｍです。
・中性子の電子のラブの公転軌道は、９．４７×１０−２３ｍ×１０８＝９．４７×１０−１５ｍです。
・中性子の陽子のラブの自転軌道は、９．４７×１０−２３ｍ÷１８７５＝５×１０−２６ｍです。
・中性子の電子のラブの自転数は、秒速÷（３．１４×自転軌道）＝４×１０６ｍ÷（３．１４×９．４７×１０−２３ｍ）＝１．３４５×１０２８回です。
・中性子の電子のラブの公転数は、秒速÷（３．１４×公転軌道）＝４×１０６ｍ÷（３．１４×９．４７×１０−１５ｍ）＝１．３４５×１０２０回です。
・中性子の陽子のラブの自転数は、秒速÷（３．１４×自転軌道）＝２．１×１０３ｍ÷（３．１４×５×１０−２６ｍ）＝１．３３８×１０２８回です。
・中性子の陽子のラブの公転軌道・公転数は、中性子の電子のラブの公転軌道・公転数と同じです。
・中性子の電子のラブが１自転してできる磁気の光子１個のエネルギーは、１秒間にできる磁気の光子のエネルギー÷１秒間にできる磁気の光子の数（＝自転数）＝８×１０−１４Ｊ÷（１．３４５×１０２８個）＝５．９４８×１０−４２Ｊです。
・中性子の陽子のラブが１自転してできる磁気の光子１個のエネルギーは、１秒間にできる磁気の光子のエネルギー÷１秒間にできる磁気の光子の数（＝自転数）＝８×１０−１４Ｊ÷（１．３３８×１０２８個）＝５．９８×１０−４２Ｊです。
・中性子の電子のラブの自転軌道×中性子の電子のラブが１自転してできる磁気の光子１個のエネルギー＝９．４７×１０−２３ｍ×５．９４８×１０−４２Ｊ＝５．６３２８×１０−６４Ｊ・ｍです。
・中性子の電子のラブの自転軌道×中性子の電子のラブが１秒間自転してできる磁気の光子のエネルギー＝９．４７×１０−２３ｍ×８×１０−１４Ｊ＝７．５７６×１０−３６Ｊ・ｍです。
・中性子の陽子のラブの自転軌道×中性子の陽子のラブが１秒間自転してできる磁気の光子のエネルギー＝５×１０−２６ｍ×８×１０−１４Ｊ＝４×１０−３９Ｊ・ｍです。
・中性子の電子のラブの公転軌道×中性子の電子のラブが１秒間自転してできる磁気の光子のエネルギー＝９．４７×１０−１５ｍ×８×１０−１４Ｊ＝７．５７６×１０−２８Ｊ・ｍです。
・中性子の陽子のラブの公転軌道×中性子の陽子のラブが１秒間自転してできる磁気の光子のエネルギー＝９．４７×１０−１５ｍ×８×１０−１４Ｊ＝７．５７６×１０−２８Ｊ・ｍです。
【請求項１５】
本発明者が２００５年１１月８日提出した特願２００５−３５２６４２、「宇宙の年齢と素粒子２」では、宇宙のどの年齢でも、１秒間の自転数は１０２４回、１秒間の公転数は１０１６回であるとしたが、これは誤りです。秒速は変わるとしたがこれも誤りです。
「宇宙の年齢と素粒子１」の宇宙の年齢における電子のラブの１秒間の自転数と公転数は正しい。
「宇宙の年齢と素粒子２」では、宇宙の年齢において、電子のラブの秒速は変わるとし、秒速＝３．１４×１０１６×公転軌道と考えたが、これは誤りです。
宇宙の年齢において、
電子のラブが回転する秒速は４×１０６ｍで一定である。
陽子のラブが回転する秒速は２．１×１０３ｍで一定である。と考えるので、
「宇宙の年齢と素粒子１」は正しい。
「宇宙の年齢と素粒子２」の表の間違いの部分を訂正します。
電子のラブが１公転してできる電気の光子１個のエネルギーの式を８×１０−１４Ｊ×Ａ２÷１０１６個としていますが、これは誤りです。８×１０−３０Ｊ×Ａです。
電子のラブが１自転してできる磁気の光子１個のエネルギー＝８×１０−１４Ｊ×Ａ２÷１０２４個としていますが、これは誤りです。８×１０−３８Ｊ×Ａです。
「宇宙の年齢と素粒子２」の
「請求項１１」中性子の電子のラブの秒速と中性子の陽子のラブの秒速は誤りです。秒速は一定です。
「請求項１２」中性子の電子のラブが作る磁気の光子のエネルギー（引力）と、中性子の陽子のラブが作る磁気の光子のエネルギー（引力）は誤りです。
「請求項１６」宇宙の年齢において、電気の光子１個のエネルギーはどれ位か。磁気の光子１個のエネルギーはどれ位か。は誤りです。
・宇宙の年齢において、１秒間にできる電気の光子のエネルギーは８×１０−１４Ｊ×Ａ２です。この電気の光子のエネルギーは１０１６×Ａ個のエネルギーです。
電気の光子１個のエネルギーは、１秒間にできるでエネルギー÷（１０１６個×Ａ）＝１０−２３Ｊ・ｍ×Ａ÷公転軌道÷（１０１６個×Ａ）＝８×１０−１４Ｊ×Ａ２÷（１０１６個×Ａ）＝８×１０−３０Ｊ×Ａです。
・宇宙の年齢において、１秒間にできる磁気の光子のエネルギーは８×１０−１４Ｊ×Ａ２です。この磁気の光子のエネルギーは１０２４×Ａ個のエネルギーです。
磁気の光子１個のエネルギーは、１秒間にできるでエネルギー÷（１０２４個×Ａ）＝１０−２３Ｊ・ｍ×Ａ÷公転軌道÷（１０２４個×Ａ）＝８×１０−１４Ｊ×Ａ２÷（１０２４個×Ａ）＝８×１０−３８Ｊ×Ａです。
「請求項１７」宇宙の年齢において、電気の光子の公転軌道はどれ位か。電気の光子の１秒間の公転数はいくらか。電気の光子１個のエネルギーはいくらか。電気の光子１個のエネルギー×電気の光子の公転軌道はいくらか。１秒間にできる電気の光子のエネルギーはいくらか。１秒間にできる電気の光子のエネルギー×電気の光子の公転軌道（電気の光子の軌道エネルギー）はいくらか。これは誤りです。
・宇宙の年齢において、電気の光子の公転軌道はどれ位か。
宇宙の年齢において、電気の光子の公転軌道は電子のラブの公転軌道と同じです。
電気の光子の公転軌道＝１．２５×１０−１０ｍ÷Ａ
・電気の光子の１秒間の公転数はいくらか。
電気の光子の１秒間の公転数＝電子の秒速÷（３．１４×電子のラブの公転軌道）＝４×１０６ｍ÷（３．１４×１．２５×１０−１０ｍ÷Ａ）＝１０１６×Ａ回
・電気の光子１個のエネルギーはいくらか。
電気の光子１個のエネルギー＝１秒間にできる電気の光子のエネルギー÷（１秒間の公転数）＝８×１０−１４Ｊ×Ａ２÷（１０１６×Ａ）＝８×１０−３０Ｊ×Ａ
・電気の光子１個のエネルギー×電気の光子の公転軌道はいくらか。
電気の光子１個のエネルギー×電気の光子の公転軌道＝８×１０−３０Ｊ×Ａ×１．２５×１０−１０ｍ÷Ａ＝１０−３９Ｊ・ｍ
・１秒間にできる電気の光子のエネルギーはいくらか。
１秒間にできる電気の光子のエネルギー＝電気の光子１個のエネルギー×１秒間の公転数＝８×１０−３０Ｊ×Ａ×１０１６×Ａ回＝８×１０−１４Ｊ×Ａ２
・１秒間にできる電気の光子のエネルギー×電気の光子の公転軌道（電気の光子の軌道エネルギー）はいくらか。
１秒間にできる電気の光子のエネルギー×電気の光子の公転軌道（電気の光子の軌道エネルギー）＝８×１０−１４Ｊ×Ａ２×１．２５×１０−１０ｍ÷Ａ＝１０−２３×ＡＪ・ｍ
「請求項２２」宇宙の年齢における電気の光子１個のエネルギーは地上の電気の光子１個のエネルギー何倍になるか。宇宙の年齢における磁気の光子１個のエネルギーは地上の磁気の光子１個のエネルギーの何倍になるか。宇宙の年齢における電子のラブ１個のエネルギーは地上の電子のラブ１個のエネルギー何倍になるか。宇宙の年齢における陽子のラブ１個のエネルギーは地上の陽子のラブ１個のエネルギー何倍になるか。これは誤りです。
・宇宙の年齢における電気の光子１個のエネルギーは地上の電気の光子１個のエネルギー  何倍になるか。Ａ倍になる。
・宇宙の年齢における磁気の光子１個のエネルギーは地上の磁気の光子１個のエネルギー  の何倍になるか。Ａ倍になる。
・宇宙の年齢における電子のラブ１個のエネルギーは地上の電子のラブ１個のエネルギー  何倍になるか。Ａ倍になる。
・宇宙の年齢における陽子のラブ１個のエネルギーは地上の陽子のラブ１個のエネルギー  何倍になるか。Ａ倍になる。
☆秒速に関する問題は誤りです。
【請求項１６】
宇宙の年齢において、電子のラブが１ｍ走る（回転する）とどれだけのエネルギーに成るか。
電子のラブが走るエネルギーは光子のエネルギーになりますから、１ｍ走る時のエネルギーをｘとします。
ｘ×秒速＝１秒間にできる光子のエネルギー
ｘ＝１秒間にできる光子のエネルギー÷秒速＝８×１０−１４Ｊ×Ａ２÷（４×１０６ｍ）＝２×１０−２０Ｊ／ｍ×Ａ２
宇宙の年齢において、電子のラブが１ｍ走る（回転する）と２×１０−２０Ｊ／ｍ×Ａ２のエネルギーになる。このエネルギーが光子のエネルギーに成る。
【発明の詳細な説明】
【技術分野】
【０００１】  本発明は、電子が軌道を１ｍ回転する時、どれ位のエネルギーで回転し、どれ位のエネルギーの光子を作るかに関する。陽子が軌道を１ｍ回転する時、どれ位のエネルギーで回転し、どれ位のエネルギーの光子を作るかに関する。電子が回転する軌道のエネルギーは、どのようなエネルギーであるかに関する。陽子が回転する軌道のエネルギーは、どのようなエネルギーであるかに関する。電子の秒速は一定であるか、変化するかに関する。
【背景技術】
【０００２】  本発明者は２００６年１月１１日提出した特許願の「請求項８」で、Ｅ＝ｍｃ２は爆発のエネルギーであり、Ｅ＝２．２９×１０１０Ｊ×ｍは粒子のエネルギーであると考えた。
電子のラブの公転軌道×エネルギー＝１．２５×１０−１０ｍ×８×１０−３０Ｊ＝１０−３９Ｊ・ｍであると考えた。
電子のラブの公転が小さいほどその軌道のエネルギーは大きいと考えていた。
特願２００５−３５２６４２と特願２００５−３８０９２５では、電子の秒速は変化する。電子の自転数は１０２４回、公転数は１０１６回で一定である。と考えた。
【発明の開示】
本発明者が考えた、Ｅ＝２．２９×１０１０Ｊ×ｍのエネルギーは、素粒子が１ｍ走る時のエネルギーである事が解った。
それで、電子の軌道のエネルギーは、電子がその軌道を１週するときのエネルギーであり、このエネルギーが光子のエネルギーに成る事を理解した。
電子が１秒間軌道を走ったときのエネルギーが８×１０−１４Ｊであるので、電子の秒速は、電子の秒速＝８×１０−１４Ｊ÷（２．２９×１０１０Ｊ×ｍ）＝８×１０−１４Ｊ÷（２．２９×１０１０Ｊ×０．８８９×１０−３０ｇ）＝８×１０−１４Ｊ÷（２．×１０−２０Ｊ／ｍ）＝４×１０６ｍ
電子の秒速は、４×１０６ｍで一定です。
陽子が１秒間軌道を走ったときのエネルギーが８×１０−１４Ｊであるので、陽子の秒速は、陽子の秒速＝８×１０−１４Ｊ÷（２．２９×１０１０Ｊ×１．６６７×１０−２７ｇ）＝８×１０−１４Ｊ÷（３．８１７×１０−１７Ｊ／ｍ）＝２．１×１０３ｍ
陽子の秒速は、２．１×１０３ｍで一定です。
【発明が解決しようとする課題】
【０００３】１．地球において、原子の中を回転する電子のラブの秒速は一定である。
２．地球において、原子の中を回転する陽子のラブの秒速は一定である。
３．軌道エネルギーには大別すると２種類ある。
４．電子のラブが回転する軌道エネルギーには２種類ある。光子が回転する軌道エネルギーには２種類ある。
５．電子のラブが作る光子のエネルギーについて。
６．電子のラブが１ｍ走ってできる光子のエネルギーはどのような式で求められるのか。電子のラブが１ｍ走ってできる光子のエネルギーはどれ位なのか。陽子のラブが１ｍ走ってできる光子のエネルギーはどのような式で求められるのか。陽子のラブが１ｍ走ってできる光子のエネルギーはどれ位なのか。
７．電子のラブが１ｍ走ってできる光子のエネルギーは２×１０−２０Ｊ／ｍです。陽子のラブが１ｍ走ってできる光子のエネルギーは３．８２×１０−１７Ｊ／ｍです。この事は何を意味するか。
８．電子のラブが公転する軌道エネルギーについて。
９．電子のラブが自転する軌道について。
１０．光子の軌道エネルギーについて。光子のエネルギーは軌道が大きくなるとエネルギーはどのようになるか。
１１．本発明者は２００５年１２月１２日に特願２００５−３８０９２５を提出した。その時、ラブは１秒間に１０１６回公転し、１０２４回自転すると考えていた。秒速は変わると考えていた。これは誤りです。
特願２００５−３８０９２５の「請求項５」は次のようになります。
１２．特願２００５−３８０９２５の「請求項６」は次のようになります。
１３．特願２００５−３８０９２５の「請求項７」は次のようになります。
１４．特願２００５−３８０９２５の「請求項８」は次のようになります。
１５．本発明者が２００５年１１月８日提出した特願２００５−３５２６４２、「宇宙の年齢と素粒子２」では、宇宙のどの年齢でも、１秒間の自転数は１０２４回、１秒間の公転数は１０１６回であるとしたが、これは誤りです。秒速は変わるとしたがこれも誤りです。
「宇宙の年齢と素粒子２」の表の間違いの部分を訂正します。
「宇宙の年齢と素粒子２」の「請求項１１」と「請求項１２」は誤りです。
「請求項１６」と「請求項１７」と「請求項２２」を訂正します。
１６．宇宙の年齢において、電子のラブが１ｍ走る（回転する）とどれだけのエネルギーに成るか。
【課題を解決するための手段】
【０００４】Ｅ＝ｍｃ２は１秒間のエネルギーであり、Ｅ＝２．５４８×１０−７×ｍは１ｍ走る（回転する）エネルギーです。電子のラブが１ｍ走るエネルギーは、８×１０−１４Ｊ×２．５４８×１０−７×＝２×１０−２０Ｊです。陽子のラブが１ｍ走るエネルギーは、１．５×１０−１０Ｊ×２．５４８×１０−７×−３．８２２×１０−１７Ｊです。このエネルギーが光子のエネルギーに成る。
それで、電子のラブの軌道のエネルギーは、電子のラブが軌道を１週するエネルギーです。
本発明者は、特願２００５−３５２６４２と特願２００５−３８０９２５では、電子の秒速は変化する。電子の自転数は１０２４回、公転数は１０１６回で一定である。と考えたのでこれを訂正する。
【発明の実施態様】
【０００５】１．  地球において、原子の中を回転する電子のラブの秒速は一定である。
２．  地球において、原子の中を回転する陽子のラブの秒速は一定である。
３．  軌道エネルギーには大別すると２種類ある。
１つは、電子のラブが回転する軌道エネルギーです。
１つは、光子が回転する軌道エネルギーです。
４．  電子のラブが回転する軌道エネルギーには２種類ある。光子が回転する軌道エネルギーには２種類ある。
電子のラブは自転しながら公転する。電子のラブが自転する軌道エネルギーは自転軌道エネルギーである。電子のラブが公転する軌道エネルギーは公転軌道エネルギーである。
光子の軌道エネルギーには２種類ある。１つは磁気の光子の軌道エネルギーであり、１つは電気の光子の軌道エネルギーである。
電子のラブが自転する事によって磁気の光子ができる。磁気の光子が回転する軌道のエネルギーが磁気の光子の軌道エネルギーである。
電子のラブが公転する事によって電気の光子ができる。電気の光子が回転する軌道のエネルギーが電気の光子の軌道エネルギーである。
☆本発明者は、走って回転する状態を走ると表現しています。
５．  電子のラブが作る光子のエネルギーについて。
電子のラブが１秒間に作る光子のエネルギーは、
電子のラブの質量エネルギー×公転軌道×１秒間の自転数×８×１０−７ｍ＝電子のラブの質量エネルギー×１秒間に走った距離÷３．１４×８×１０−７＝電子のラブの質量エネルギー×１秒間に走った距離×２．５４８×１０−７＝電子のラブの質量エネルギー×２．５４８×１０−７×１秒間に走った距離
この式から、
電子のラブの質量エネルギー×２．５４８×１０−７×１秒間に走った距離電子のラブは１秒間走った場合にできる光子のエネルギーです。
それで、電子のラブの質量エネルギー×２．５４８×１０−７は電子のラブが１ｍ走ってできる光子のエネルギーです。
電子のラブの質量エネルギー×２．５４８×１０−７＝電子のラブが１ｍ走ってできる光子のエネルギー
電子のラブが１ｍ走ってできる光子のエネルギー＝電子のラブの質量エネルギー×２．５４８×１０−７
本発明者は２００６年１月１１日に提出した特許願の「請求項８」で、Ｅ＝ｍｃ２は爆発のエネルギーです。と記したがこれは誤りです。Ｅ＝ｍｃ２は１秒間にできるできる光子のエネルギーです。
爆発で無いエネルギーはどれ位なのか。爆発でないエネルギーはどのような式で求められるのか。と記したが、これは、電子のラブが１ｍ走ってできる光子のエネルギーはどれ位なのか。電子のラブが１ｍ走ってできる光子のエネルギーはどのような式で求められるのか。です。
６．  電子のラブが１ｍ走ってできる光子のエネルギーはどのような式で求められるのか。電子のラブが１ｍ走ってできる光子のエネルギーはどれ位なのか。陽子のラブが１ｍ走ってできる光子のエネルギーはどのような式で求められるのか。陽子のラブが１ｍ走ってできる光子のエネルギーはどれ位なのか。
１秒間にできる光子のエネルギー＝電子のラブの質量エネルギー×２．５４８×１０−７×１秒間に走った距離＝電子のラブが１ｍ走ってできる光子のエネルギー×１秒間に走った距離
電子のラブが１ｍ走ってできる光子のエネルギー＝電子のラブの質量エネルギー×２．５４８×１０−７＝ｍｃ２×２．５４８×１０−７＝ｍ×９×１０１６×２．５４８×１０−７＝ｍ×２．２９３２×１０１０
よって、
電子のラブが１ｍ走ってできる光子のエネルギー＝ｍ×２．２９３２×１０１０Ｊの式で求められる。
電子のラブが１ｍ走ってできる光子のエネルギー＝０．８８９×１０−３０ｇ×２．２９３２×１０１０Ｊ＝２．０３８７×１０−２０Ｊです。
電子のラブが１ｍ走ってできる光子のエネルギーは２．０３８７×１０−２０Ｊです。
電子のラブが１ｍ走ってできる光子のエネルギー＝ｍ×２．２９３２×１０１０Ｊの式で求められる。
陽子のラブが１ｍ走ってできる光子のエネルギーは、
ｍ×２．２９３２×１０１０＝１．６６７×１０−２７ｇ×２．２９３２×１０１０＝３．８２２８×１０−１７Ｊです。
また、
電子のラブが１ｍ走ってできる光子のエネルギー＝電子のラブの質量エネルギー×２．５４８×１０−７です。
ラブが１ｍ走ってできる光子のエネルギーの式は、
ラブが１ｍ走ってできる光子のエネルギー＝ラブの質量エネルギー×２．５４８×１０−７です。
電子のラブが１ｍ走ってできる光子のエネルギー＝電子のラブの質量エネルギー×２．５４８×１０−７＝８×１０−１４Ｊ×２．５４８×１０−７＝２．０３８４×１０−２０Ｊ
陽子のラブが１ｍ走ってできる光子のエネルギー＝陽子のラブの質量エネルギー×２．５４８×１０−７＝１．５×１０−１０×２．５４８×１０−７＝３．８２２×１０−１７Ｊ
この単位はＪ／ｍです。
電子のラブが１ｍ走ってできる光子のエネルギーは２×１０−２０Ｊ／ｍです。
陽子のラブが１ｍ走ってできる光子のエネルギーは３．８２×１０−１７Ｊ／ｍです。
但し、この値は、原子の中で、電子のラブが秒速４×１０６ｍで走るとした場合です。
原子の中で、陽子のラブが秒速２．１×１０３ｍで走るとした場合です。
７．  電子のラブが１ｍ走ってできる光子のエネルギーは２×１０−２０Ｊ／ｍです。陽子のラブが１ｍ走ってできる光子のエネルギーは３．８２×１０−１７Ｊ／ｍです。この事は何を意味するか。
▲１▼電子のラブが１ｍ走ってできる光子のエネルギーは、電子のラブが１ｍ走る時のエネルギーです。陽子のラブが１ｍ走ってできる光子のエネルギーは、陽子のラブが１ｍ走る時のエネルギーです。
この事は、電子のラブが走ったエネルギーが光子のエネルギーに成る事を意味する。
陽子のラブが走ったエネルギーが光子のエネルギーに成る事を意味する。
エネルギーは保存される事を意味する。
▲２▼軌道のエネルギーとは、ラブがその軌道を走るエネルギーである事を意味する。
軌道のエネルギーとは、ラブがその軌道を走ってできた光子のエネルギーである事を意味する。
電子の軌道のエネルギー＝軌道を１週した距離×電子のラブが１ｍ走る時のエネルギー＝軌道を１週した距離×電子のラブが１ｍ走ってできた光子のエネルギー＝３．１４×軌道×２×１０−２０Ｊ／ｍ＝６．２８×１０−２０Ｊ／ｍ×軌道
陽子の軌道のエネルギー＝軌道を１週した距離×陽子のラブが１ｍ走る時のエネルギー＝軌道を１週した距離×陽子のラブが１ｍ走ってできた光子のエネルギー＝３．１４×軌道×３．８２×１０−１７Ｊ／ｍ＝１．２×１０−１６Ｊ／ｍ×軌道
☆従って、ラブの軌道が大きいとラブの軌道のエネルギーは大きい。
▲３▼電子のラブがどの軌道を走っても、１秒間にできる光子のエネルギーは８×１０−１４Ｊである事を意味する。陽子のラブがどの軌道を走っても、１秒間にできる光子のエネルギーは８×１０−１４Ｊである事を意味する。
電子のラブの場合。
１秒間にできる光子のエネルギー＝電子のラブが１ｍ走ってできる光子のエネルギー×電子の秒速＝２×１０−２０Ｊ／ｍ×４×１０６ｍ＝８×１０−１４Ｊ
陽子のラブの場合。
１秒間にできる光子のエネルギー＝陽子のラブが１ｍ走ってできる光子のエネルギー×陽子の秒速＝３．８２×１０−１７Ｊ／ｍ×２．１×１０３ｍ＝８×１０−１４Ｊ
８．  電子のラブが公転する軌道エネルギーについて。図１、図２、図３
▲１▼電子のラブが１０−１１ｍの軌道を公転する場合。図１
電子のラブが１公転するエネルギーは、
電子のラブが１ｍ走るエネルギー×電子のラブが走った距離＝２×１０−２０Ｊ／ｍ×３．１４×１０−１１ｍ＝６．２８×１０−３１Ｊ  です。
電子のラブが１公転して作る電気の光子１個のエネルギーは、
電子のラブが１ｍ走ってできる光子のエネルギー×電子のラブが走った距離＝２×１０−２０Ｊ／ｍ×３．１４×１０−１１ｍ＝６．２８×１０−３１Ｊ  です。
電子のラブの１秒間の公転数は、
４×１０６ｍ÷（３．１４×１０−１１ｍ）＝１．２７４×１０１７回です。
電子のラブが１秒間に作る電気の光子のエネルギーは、
６．２８×１０−３１Ｊ×１．２７４×１０１７回＝８×１０−１４Ｊです。
▲２▼電子のラブが１．２５×１０−１０ｍの軌道を公転する場合。図２
電子のラブが１公転するエネルギーは、
電子のラブが１ｍ走るエネルギー×電子のラブが走った距離＝２．０３８７×１０−２０Ｊ／ｍ×３．１４×１．２５×１０−１０ｍ＝８×１０−３０Ｊ  です。
電子のラブが１公転して作る電気の光子１個のエネルギーは、
電子のラブが１ｍ走ってできる光子のエネルギー×電子のラブが走った距離＝２．０３８７×１０−２０Ｊ／ｍ×３．１４×１．２５×１０−１０ｍ＝８×１０−３０Ｊ  です。
電子のラブの１秒間の公転数は、
４×１０６ｍ÷（３．１４×１．２５×１０−１０ｍ）＝１０１６回です。
電子のラブが１秒間に作る電気の光子のエネルギーは、
８×１０−３０Ｊ×１０１６回＝８×１０−１４Ｊです。
▲３▼電子のラブが１０−９ｍの軌道を公転する場合。図３
電子のラブが１公転するエネルギーは、
電子のラブが１ｍ走るエネルギー×電子のラブが走った距離＝２×１０−２０Ｊ／ｍ×３．１４×１０−９ｍ＝６．２８×１０−２９Ｊ  です。
電子のラブが１公転して作る電気の光子１個のエネルギーは、
電子のラブが１ｍ走ってできる光子のエネルギー×電子のラブが走った距離＝２×１０−２０Ｊ／ｍ×３．１４×１０−９ｍ＝６．２８×１０−２９Ｊ  です。
電子のラブの１秒間の公転数は、
４×１０６ｍ÷（３．１４×１０−９ｍ）＝１．２７４×１０１５回です。
電子のラブが１秒間に作る電気の光子のエネルギーは、
６．２８×１０−２９Ｊ×１．２７４×１０１５回＝８×１０−１４Ｊです。
９．  電子のラブが自転する軌道について。図１、図２、図３
▲１▼電子のラブが１０１１ｍの軌道を公転する場合。図１
電子のラブの自転軌道は、１０−１１ｍ÷１０８＝１０−１９ｍです。
電子のラブの１秒間の自転数は、１．２７４×１０１７回×１０８＝１．２７４×１０２５回です。
電子のラブが１自転してできる磁気の光子１個のエネルギーは、６．２８×１０−３１Ｊ÷１０８＝６．２８×１０−３９Ｊです。
電子のラブが１秒間に作る磁気の光子のエネルギーは、６．２８×１０−３９Ｊ×１．２７４×１０２５回＝８×１０−１４Ｊです。
▲２▼電子のラブが１．２５×１０−１０ｍの軌道を公転する場合。図２
電子のラブの自転軌道は、１．２５×１０−１０ｍ÷１０８＝１．２５×１０−１８ｍです。
電子のラブの１秒間の自転数は、１０１６回×１０８＝１０２４回です。
電子のラブが１自転してできる磁気の光子１個のエネルギーは、８×１０−３０Ｊ÷１０８＝８×１０−３８Ｊです。
電子のラブが１秒間に作る磁気の光子のエネルギーは、８×１０−３８Ｊ×１０２４回＝８×１０−１４Ｊです。
▲３▼  電子のラブが１０−９ｍの軌道を公転する場合。図３
電子のラブの自転軌道は、１０−９ｍ÷１０８＝１０−１７ｍです。
電子のラブの１秒間の自転数は、１．２７４×１０１５回×１０８＝１．２７４×１０２３回です。
電子のラブが１自転してできる磁気の光子１個のエネルギーは、６．２８×１０−２９Ｊ÷１０８＝６．２８×１０−３７Ｊです。
電子のラブが１秒間に作る磁気の光子のエネルギーは、６．２８×１０−３７Ｊ×１．２７４×１０２３回＝８×１０−１４Ｊです。
１０．  光子の軌道エネルギーについて。光子のエネルギーは軌道が大きくなるとエネルギーはどのようになるか。図４、図５、図６、図７
☆光子の軌道エネルギーは軌道が大きくなるとエネルギーは小さくなる。図４
光子の軌道とエネルギーは反比例する。
磁気の光子は１公転の間に１０８個ある。
それで、１公転の軌道が１０倍になると、磁気の光子の軌道は１０倍に成る。そして、エネルギーは１０分の１になる。
磁気の光子１個の軌道は１０倍になる。そして、磁気の光子１個のエネルギーは１／１０になる。
▲１▼  電子のラブが１０−１１ｍの軌道を公転する場合。図５
○電子のラブが１０−１１ｍの軌道を公転するとき、電気の光子の軌道は１０−１１ｍです。
電気の光子の１秒間の公転数は、１．２７４×１０１７回です。
電気の光子は１秒間に、１．２７４×１０１７個できます。
電子のラブが１公転して作る電気の光子１個のエネルギーは、６．２８×１０−３１Ｊです。
電子のラブが１秒間に作る電気の光子のエネルギーは、８×１０−１４Ｊです。
・この電気の光子の軌道が１００倍の１０−９ｍになると、電気の光子１個のエネルギーは１００分の１に成ります。
この電気の光子の軌道が１０−９ｍになると、電気の光子の１個のエネルギーは６．２８×１０−３３Ｊに成ります。
この電気の光子の軌道が１０−９ｍになると、１秒間にできた磁気の光子のエネルギーは、１秒間にできた電気の光子の数×電気の光子の１個のエネルギー＝１．２７４×１０１７個×６．２８×１０−３３Ｊ＝８×１０−１６Ｊになります。
△電子のラブが１０−１１ｍの軌道を公転するとき、自転軌道は１０−１９ｍです。磁気の光子の軌道は１０−１９ｍです。
磁気の光子の１秒間の自転数は、１．２７４×１０１７＋８＝１．２７４×１０２５回です。
磁気の光子は１秒間に、１．２７４×１０２５個できます。
電子のラブが１自転して作る磁気の光子１個のエネルギーは、６．２８×１０−３１−８Ｊ＝６．２８×１０−３９Ｊです。
電子のラブが１秒間に作る磁気の光子のエネルギーは、６．２８×１０−３９Ｊ×１．２７４×１０２５個＝８×１０−１４Ｊです。
・この磁気の光子の軌道が１００倍の１０−１７ｍになると、磁気の光子１個のエネルギーは１００分の１に成ります。
この磁気の光子の軌道が１０−１７ｍになると、磁気の光子の１個のエネルギーは６．２８×１０−３９−２Ｊ＝６．２８×１０−４１Ｊに成ります。
この磁気の光子の軌道が１０−１７ｍになると、１秒間にできた磁気の光子のエネルギーは、１秒間にできた磁気の光子の数×磁気の光子の１個のエネルギー＝１．２７４×１０２５個×６．２８×１０−４１Ｊ＝８×１０−１６Ｊになります。
▲２▼  電子のラブが１．２５×１０−１０ｍの軌道を公転する場合。図６
2006204093.tif 000003
です。
電気の光子の１秒間の公転数は、１０１６回です。
電気の光子は１秒間に、１０１６個できます。
電子のラブが１公転して作る電気の光子１個のエネルギーは、８×１０−３０Ｊです。
電子のラブが１秒間に作る電気の光子のエネルギーは、８×１０−１４Ｊです。
この電気の光子の軌道が１００倍の１．２５×１０−８ｍになると、電気の光子１個のエネルギーは１００分の１に成ります。
・この電気の光子の軌道が１．２５×１０−１８ｍになると、電気の光子の１個のエネルギーは８×１０−３２Ｊに成ります。
この電気の光子の軌道が１．２５×１０−８ｍになると、１秒間にできた磁気の光子のエネルギーは、
１秒間にできた電気の光子の数×電気の光子の１個のエネルギー＝１０１６個×８×１０−３２Ｊ＝８×１０−１６Ｊになります。
△電子のラブが１．２５×１０−１０ｍの軌道を公転するとき、自転軌道は１．２５×１０−１８ｍです。磁気の光子の軌道は１．２５×１０−１８ｍです。
磁気の光子の１秒間の自転数は、１０１６＋８＝１０２４回です。
磁気の光子は１秒間に、１０１６＋８個＝１０２４個できます。
電子のラブが１自転して作る磁気の光子１個のエネルギーは、８×１０−３０−８Ｊ＝８×１０−３８Ｊです。
電子のラブが１秒間に作る磁気の光子のエネルギーは、８×１０−３８Ｊ×１０２４個＝８×１０−１４Ｊです。
・この磁気の光子の軌道が１００倍の１．２５×１０−１６ｍになると、磁気の光子１個のエネルギーは１００分の１に成ります。
この磁気の光子の軌道が１．２５×１０−１６ｍになると、磁気の光子の１個のエネルギーは８×１０−３８−２Ｊ＝８×１０−４０Ｊに成ります。
この磁気の光子の軌道が１．２５×１０−１６ｍになると、１秒間にできた磁気の光子のエネルギーは、
１秒間にできた磁気の光子の数×磁気の光子の１個のエネルギー＝１０２４個×８×１０−４０Ｊ＝８×１０−１６Ｊになります。
▲３▼  電子のラブが１０−９ｍの軌道を公転する場合。図７
○電子のラブが１０−９ｍの軌道を公転するとき、電気の光子の軌道は１０−９ｍです。
電気の光子の１秒間の公転数は、１．２７４×１０１５回です。
電気の光子は１秒間に、１．２７４×１０１５個できます。
電子のラブが１公転して作る電気の光子１個のエネルギーは、６．２８×１０−２９Ｊです。
電子のラブが１秒間に作る電気の光子のエネルギーは、８×１０−１４Ｊです。
・この電気の光子の軌道が１００倍の１０−７ｍになると、電気の光子１個のエネルギーは１００分の１に成ります。
この電気の光子の軌道が１０−７ｍになると、電気の光子の１個のエネルギーは６．２８×１０−３１Ｊに成ります。
この電気の光子の軌道が１０−７ｍになると、１秒間にできた磁気の光子のエネルギーは、１秒間にできた電気の光子の数×電気の光子の１個のエネルギー＝１．２７４×１０１５個×６．２８×１０−３１Ｊ＝８×１０−１６Ｊになります。
△電子のラブが１０−９ｍの軌道を公転するとき、自転軌道は１０−１７ｍです。磁気の光子の軌道は１０−１７ｍです。
磁気の光子の１秒間の自転数は、１．２７４×１０１５＋８＝１．２７４×１０２３回です。
磁気の光子は１秒間に、１．２７４×１０２３個できます。
電子のラブが１自転して作る磁気の光子１個のエネルギーは、６．２８×１０−２９−８Ｊ＝６．２８×１０−３７Ｊです。
電子のラブが１秒間に作る磁気の光子のエネルギーは、６．２８×１０−３７Ｊ×１．２７４×１０２３個＝８×１０−１４Ｊです。
・この磁気の光子の軌道が１００倍の１０−１５ｍになると、磁気の光子１個のエネルギーは１００分の１に成ります。
この磁気の光子の軌道が１０−１５ｍになると、磁気の光子の１個のエネルギーは６．２８×１０−３７−２Ｊ＝６．２８×１０−３９Ｊに成ります。
この磁気の光子の軌道が１０−１５ｍになると、１秒間にできた磁気の光子のエネルギーは、１秒間にできた磁気の光子の数×磁気の光子の１個のエネルギー＝１．２７４×１０２３個×６．２８×１０−３９Ｊ＝８×１０−１６Ｊになります。
１１．  本発明者は２００５年１２月１２日に特願２００５−３８０９２５、「中性子と素粒子５」を提出した。その時、ラブは１秒間に１０１６回公転し、１０２４回自転すると考えていた。秒速は変わると考えていた。
「請求項５」で、ラブの秒速は、秒速＝３．１４×公転軌道×１０１６回＝３．１４×６．３１３５×１０−１４ｍ×Ａ×１０１６＝１．９８２４×１０８ｍ×Ａとした。
しかし、今回は、地球において、原子の中を回転する電子のラブの秒速は一定である。
地球において、原子の中を回転する陽子のラブの秒速は一定である。と考える。
特願２００５−３８０９２５の「請求項５」は次のようになります。
核磁気モーメントが＋Ａ又は、−Ａの場合、ラブの自転軌道と、ラブの公転軌道と、１秒間のラブの自転数と、１秒間のラブの公転数と、ラブが１秒間自転してできる磁気の光子のエネルギーと、ラブが１自転してできる磁気の光子１個のエネルギーと、ラブが１自転してできる磁気の光子１個のエネルギー×ラブの自転軌道と、ラブが１秒間自転してできる磁気の光子のエネルギー×ラブの自転軌道と、ラブが１秒間自転してできる磁気の光子のエネルギー×ラブの公転軌道、の式はどのようであるか。
・ラブの自転軌道は、核磁子の自転軌道×Ａ＝６．３１３５×１０−２２ｍ×Ａ  です。
・ラブの公転軌道は、核磁子の自転軌道×１０８×Ａ＝６．３１３５×１０−２２ｍ×１０８×Ａ  です。
・１秒間のラブの自転数は、秒速÷（３．１４×ラブの自転軌道）＝２．１×１０３ｍ÷（３．１４×６．３１３５×１０−２２ｍ×Ａ）＝１．０６×１０２４÷Ａ  です。
・１秒間のラブの公転数は、秒速÷（３．１４×ラブの公転軌道）＝２．１×１０３ｍ÷（３．１４×６．３１３５×１０−２２ｍ×１０８×Ａ）＝１．０６×１０１６÷Ａ  です。
・ラブが１秒間自転してできる磁気の光子のエネルギー＝８×１０−１４Ｊ
・ラブが１自転してできる磁気の光子１個のエネルギー＝１秒間にできるエネルギー÷１秒間にできる磁気の光子の数（＝１秒間の自転数）＝８×１０−１４Ｊ÷（１．０６×１０２４÷Ａ）＝７．５４７×１０−３８Ｊ×Ａ
・ラブが１自転してできる磁気の光子１個のエネルギー×ラブの自転軌道＝７．５４７×１０−３８Ｊ×Ａ×６．３１３５×１０−２２ｍ×Ａ＝４．７６４８×１０−５９Ｊ・ｍ
・ラブが１秒間自転してできる磁気の光子のエネルギー×ラブの自転軌道＝８×１０−１４Ｊ×６．３１３５×１０−２２ｍ×Ａ＝５．０５０８×１０−３５×ＡＪ・ｍ
・ラブが１秒間自転してできる磁気の光子のエネルギー×ラブの公転軌道＝８×１０−１４Ｊ×６．３１３５×１０−１４ｍ×Ａ＝５．０５０８×１０−２７×ＡＪ・ｍ
１２．  特願２００５−３８０９２５の「請求項６」は次のようになります。
中性子の核磁気モーメントは、−１．９１３です。中性子の電子のラブの自転軌道と公転軌道はどれ位か。中性子の陽子のラブの自転軌道と公転軌道はどれ位か。中性子の電子のラブの１秒間の自転数と公転数はどれ位か。中性子の陽子のラブの１秒間の自転数はどれ位か。中性子の電子のラブが１秒間自転してできる磁気の光子のエネルギーはいくらか。中性子の陽子のラブが１秒間自転してできる磁気の光子のエネルギーはいくらか。中性子の電子のラブが１自転してできる磁気の光子１個のエネルギーはどれ位か。中性子の陽子のラブが１自転してできる磁気の光子１個のエネルギーはどれ位か。中性子の電子のラブの自転軌道×中性子の電子のラブが１自転してできる磁気の光子１個のエネルギーはどれ位か。中性子の電子のラブの自転軌道×中性子の電子のラブが１秒間自転してできる磁気の光子のエネルギーはどれ位か。中性子の陽子のラブの自転軌道×中性子の陽子のラブが１秒間自転してできる磁気の光子のエネルギーはどれ位か。中性子の電子のラブの公転軌道×中性子の電子のラブが１秒間自転してできる磁気の光子のエネルギーはどれ位か。中性子の陽子のラブの公転軌道×中性子の陽子のラブが１秒間自転してできる磁気の光子のエネルギーはどれ位か。
・中性子の電子のラブの自転軌道は、６．３１３５×１０−２２ｍ×１．９１３＝１．２０７８×１０−２１ｍです。
・中性子の電子のラブの公転軌道は、６．３１３５×１０−１４ｍ×１．９１３＝１．２０７８×１０−１３ｍです。
・中性子の陽子のラブの自転軌道は、中性子の電子のラブの自転軌道の１８７５分の１ですから、中性子の電子のラブの自転軌道÷１８７５＝１．２０７８×１０−２１ｍ÷１８７５＝６．４４１×１０−２５ｍです。
・中性子の陽子のラブの公転軌道は中性子の電子のラブの公転軌道と同じです。
・中性子の電子のラブの１秒間の自転数は、秒速÷（３．１４×自転軌道）＝４×１０６ｍ÷（３．１４×１．２０７８×１０−２１ｍ）＝１．０５５×１０２７回です。
・中性子の電子のラブの１秒間の公転数は、秒速÷（３．１４×公転軌道）＝４×１０６ｍ÷（３．１４×１．２０７８×１０−１３ｍ）＝１．０５５×１０１９回です。
・中性子の陽子のラブの自転数は、秒速÷（３．１４×自転軌道）＝２．１×１０３ｍ÷（３．１４×６．４４１×１０−２５ｍ）＝１．０３８×１０２７回です。
・中性子の電子のラブが１秒間自転してできる磁気の光子のエネルギーは、８×１０−１４Ｊです。
・中性子の陽子のラブが１秒間自転してできる磁気の光子のエネルギーは、８×１０−１４Ｊです。
・中性子の電子のラブが１自転してできる磁気の光子１個のエネルギーは、１秒間にできる磁気の光子のエネルギー÷１秒間にできる磁気の光子の数（＝１秒間の自転数）＝８×１０−１４Ｊ÷（１．０５５×１０２７個）＝７．５８３×１０−４１Ｊです。
・中性子の陽子のラブが１自転してできる磁気の光子１個のエネルギーは、１秒間にできる磁気の光子のエネルギー÷１秒間にできる磁気の光子の数（＝１秒間の自転数）＝８×１０−１４Ｊ÷（１．０３８×１０２７個）＝７．７１×１０−４１Ｊです。
・中性子の電子のラブの自転軌道×中性子の電子のラブが１自転してできる磁気の光子１個のエネルギーは、１．２０７８×１０−２１ｍ×７．５８３×１０−４１Ｊ＝９．１５８７×１０−６２Ｊ・ｍです。
・中性子の電子のラブの自転軌道×中性子の電子のラブが１秒間自転してできる磁気の光子のエネルギーは、１．２０７８×１０−２１ｍ×８×１０−１４Ｊ＝９．６６２４×１０−３５Ｊです。
・中性子の陽子のラブの自転軌道×中性子の陽子のラブが１秒間自転してできる磁気の光子のエネルギーは、６．４４１×１０−２５ｍ×８×１０−１４Ｊ＝５．１５２８×１０−３８Ｊです。
・中性子の電子のラブの公転軌道×中性子の電子のラブが１秒間自転してできる磁気の光子のエネルギーは、１．２０７８×１０−１３ｍ×８×１０−１４Ｊ＝９．６６２４×１０−２７Ｊです。
・中性子の陽子のラブの公転軌道×中性子の陽子のラブが１秒間自転してできる磁気の光子のエネルギーは、１．２０７８×１０−１３ｍ×８×１０−１４Ｊ＝９．６６２４×１０−２７Ｊです。
１３．  特願２００５−３８０９２５の「請求項７」は次のようになります。
核磁気モーメントの＋Ａの平均は約＋０．７です。この場合、陽子のラブの自転軌道と、陽子のラブの公転軌道と、陽子のラブの１秒間の自転数と、陽子のラブの１秒間の公転数と、陽子のラブが１自転してできる磁気の光子１個のエネルギーと、陽子のラブの自転軌道×陽子のラブが１自転してできる磁気の光子１個のエネルギーと、陽子のラブの自転軌道×陽子のラブが１秒間自転してできる磁気の光子のエネルギーと、陽子のラブの公転軌道×陽子のラブが１秒間自転してできる磁気の光子のエネルギー、はどれ位か。
・陽子のラブの自転軌道は、６．３１３５×１０−２２ｍ×０．７＝４．４１９×１０−２２ｍです。
・陽子のラブの公転軌道は、４．４１９×１０−２２ｍ×１０８＝４．４１９×１０−１４ｍです。
・陽子のラブの１秒間の自転数は、秒速÷（３．１４×自転軌道）＝２．１×１０３ｍ÷（３．１４×４．４１９×１０−２２ｍ）＝１．５１３×１０２４回です。
・陽子のラブの１秒間の公転数は、秒速÷（３．１４×公転軌道）＝２．１×１０３ｍ÷（３．１４×４．４１９×１０−１４ｍ）＝１．５１３×１０１６回です。
・陽子のラブが１自転してできる磁気の光子１個のエネルギーは、１秒間にできる磁気の光子のエネルギー÷１秒間にできる磁気の光子の数（＝自転数）＝８×１０−１４Ｊ÷（１．５１３×１０２４個）＝５．２８７５×１０−３８Ｊです。
・陽子のラブの自転軌道×陽子のラブが１自転してできる磁気の光子１個のエネルギー＝４．４１９×１０−２２ｍ×５．２８７５×１０−３８Ｊ＝２．３３６５×１０−５９Ｊ・ｍです。
・陽子のラブの自転軌道×陽子のラブが１秒間自転しててきる磁気の光子のエネルギー＝４．４１９×１０−２２ｍ×８×１０−１４Ｊ＝３．５３５２×１０−３５Ｊ・ｍです。
・陽子のラブの公転軌道×陽子のラブが１秒間自転してできる磁気の光子のエネルギー＝４．４１９×１０−１４ｍ×８×１０−１４Ｊ＝３．５３５２×１０−２７Ｊ・ｍです。
１４．  特願２００５−３８０９２５の「請求項８」は次のようになります。
核磁気モーメントの−Ａの平均は約−０．１５です。この場合、中性子の電子のラブの自転軌道と、中性子の電子のラブの公転軌道と、中性子の陽子のラブの自転軌道と、中性子の電子のラブの自転数と、中性子の電子のラブの公転数と、中性子の陽子のラブの自転数と、中性子の陽子のラブの公転軌道と公転数、中性子の電子のラブが１自転してできる磁気の光子１個のエネルギーと、中性子の陽子のラブが１自転してできる磁気の光子１個のエネルギーと、中性子の電子のラブの自転軌道×中性子の電子のラブが１自転してできる磁気の光子１個のエネルギーと、中性子の電子のラブの自転軌道×中性子の電子のラブが１秒間自転してできる磁気の光子のエネルギーと、中性子の陽子のラブの自転軌道×中性子の陽子のラブが１秒間自転してできる磁気の光子のエネルギーと、中性子の電子のラブの公転軌道×中性子の電子のラブが１秒間自転してできる磁気の光子のエネルギーと、中性子の陽子のラブの公転軌道×中性子の陽子のラブが１秒間自転してできる磁気の光子のエネルギー、  はどれ位か。
・中性子の電子のラブの自転軌道は、６．３１３５×１０−２２ｍ×０．１５＝９．４７×１０−２３ｍです。
・中性子の電子のラブの公転軌道は、９．４７×１０−２３ｍ×１０８＝９．４７×１０−１５ｍです。
・中性子の陽子のラブの自転軌道は、９．４７×１０−２３ｍ÷１８７５＝５×１０−２６ｍです。
・中性子の電子のラブの自転数は、秒速÷（３．１４×自転軌道）＝４×１０６ｍ÷（３．１４×９．４７×１０−２３ｍ）＝１．３４５×１０２８回です。
・中性子の電子のラブの公転数は、秒速÷（３．１４×公転軌道）＝４×１０６ｍ÷（３．１４×９．４７×１０−１５ｍ）＝１．３４５×１０２０回です。
・中性子の陽子のラブの自転数は、秒速÷（３．１４×自転軌道）＝２．１×１０３ｍ÷（３．１４×５×１０−２６ｍ）＝１．３３８×１０２８回です。
・中性子の陽子のラブの公転軌道・公転数は、中性子の電子のラブの公転軌道・公転数と同じです。
・中性子の電子のラブが１自転してできる磁気の光子１個のエネルギーは、１秒間にできる磁気の光子のエネルギー÷１秒間にできる磁気の光子の数（＝自転数）＝８×１０−１４Ｊ÷（１．３４５×１０２８個）＝５．９４８×１０−４２Ｊです。
・中性子の陽子のラブが１自転してできる磁気の光子１個のエネルギーは、１秒間にできる磁気の光子のエネルギー÷１秒間にできる磁気の光子の数（＝自転数）＝８×１０−１４Ｊ÷（１．３３８×１０２８個）＝５．９８×１０−４２Ｊです。
・中性子の電子のラブの自転軌道×中性子の電子のラブが１自転してできる磁気の光子１個のエネルギー＝９．４７×１０−２３ｍ×５．９４８×１０−４２Ｊ＝５．６３２８×１０−６４Ｊ・ｍです。
・中性子の電子のラブの自転軌道×中性子の電子のラブが１秒間自転してできる磁気の光子のエネルギー＝９．４７×１０−２３ｍ×８×１０−１４Ｊ＝７．５７６×１０−３６Ｊ・ｍです。
・中性子の陽子のラブの自転軌道×中性子の陽子のラブが１秒間自転してできる磁気の光子のエネルギー＝５×１０−２６ｍ×８×１０−１４Ｊ＝４×１０−３９Ｊ・ｍです。
・中性子の電子のラブの公転軌道×中性子の電子のラブが１秒間自転してできる磁気の光
2006204093.tif 000004
・中性子の陽子のラブの公転軌道×中性子の陽子のラブが１秒間自転してできる磁気の光子のエネルギー＝９．４７×１０−１５ｍ×８×１０−１４Ｊ＝７．５７６×１０−２８Ｊ・ｍです。
これらを表にする。
2006204093.tif 000005
2006204093.tif 000006
2006204093.tif 000007
１５．  本発明者が２００５年１１月８日提出した特願２００５−３５２６４２、「宇宙の年齢と素粒子２」では、宇宙のどの年齢でも、１秒間の自転数は１０２４回、１秒間の公転数は１０１６回であるとしたが、これは誤りです。秒速は変わるとしたがこれも誤りです。
「宇宙の年齢と素粒子１」の宇宙の年齢における電子のラブの１秒間の自転数と公転数は正しい。
「宇宙の年齢と素粒子２」では、宇宙の年齢において、電子のラブの秒速は変わるとし、秒速＝３．１４×１０１６×公転軌道と考えたが、これは誤りです。
宇宙の年齢において、
電子のラブが回転する秒速は４×１０６ｍで一定である。
陽子のラブが回転する秒速は２．１×１０３ｍで一定である。と考えるので、
「宇宙の年齢と素粒子１」は正しい。
「宇宙の年齢と素粒子２」の表の間違いの部分を訂正します。
電子のラブが１公転してできる電気の光子１個のエネルギーの式を８×１０−１４Ｊ×Ａ２÷１０１６個としていますが、これは誤りです。８×１０−３０Ｊ×Ａです。
電子のラブが１自転してできる磁気の光子１個のエネルギー＝８×１０−１４Ｊ×Ａ２÷１０２４個としていますが、これは誤りです。８×１０−３８Ｊ×Ａです。
「宇宙の年齢と素粒子２」の
「請求項１１」中性子の電子のラブの秒速と中性子の陽子のラブの秒速は誤りです。秒速は一定です。
「請求項１２」中性子の電子のラブが作る磁気の光子のエネルギー（引力）と、中性子の陽子のラブが作る磁気の光子のエネルギー（引力）は誤りです。
「請求項１６」宇宙の年齢において、電気の光子１個のエネルギーはどれ位か。磁気の光子１個のエネルギーはどれ位か。は誤りです。
・宇宙の年齢において、１秒間にできる電気の光子のエネルギーは８×１０−１４Ｊ×Ａ２です。この電気の光子のエネルギーは１０１６×Ａ個のエネルギーです。
電気の光子１個のエネルギーは、１秒間にできるでエネルギー÷（１０１６個×Ａ）＝１０−２３Ｊ・ｍ×Ａ÷公転軌道÷（１０１６個×Ａ）＝８×１０−１４Ｊ×Ａ２÷（１０１６個×Ａ）＝８×１０−３０Ｊ×Ａです。
・宇宙の年齢において、１秒間にできる磁気の光子のエネルギーは８×１０−１４Ｊ×Ａ２です。この磁気の光子のエネルギーは１０２４×Ａ個のエネルギーです。
磁気の光子１個のエネルギーは、１秒間にできるでエネルギー÷（１０２４個×Ａ）＝１０−２３Ｊ・ｍ×Ａ÷公転軌道÷（１０２４個×Ａ）＝８×１０−１４Ｊ×Ａ２÷（１０２４個×Ａ）＝８×１０−３８Ｊ×Ａです。
「請求項１７」宇宙の年齢において、電気の光子の公転軌道はどれ位か。電気の光子の１秒間の公転数はいくらか。電気の光子１個のエネルギーはいくらか。電気の光子１個のエネルギー×電気の光子の公転軌道はいくらか。１秒間にできる電気の光子のエネルギーはいくらか。１秒間にできる電気の光子のエネルギー×電気の光子の公転軌道（電気の光子の軌道エネルギー）はいくらか。これは誤りです。
・宇宙の年齢において、電気の光子の公転軌道はどれ位か。
宇宙の年齢において、電気の光子の公転軌道は電子のラブの公転軌道と同じです。
電気の光子の公転軌道＝１．２５×１０−１０ｍ÷Ａ
・電気の光子の１秒間の公転数はいくらか。
電気の光子の１秒間の公転数＝電子の秒速÷（３．１４×電子のラブの公転軌道）＝４×１０６ｍ÷（３．１４×１．２５×１０−１０ｍ÷Ａ）＝１０１６×Ａ回
・電気の光子１個のエネルギーはいくらか。
電気の光子１個のエネルギー＝１秒間にできる電気の光子のエネルギー÷（１秒間の公転数）＝８×１０−１４Ｊ×Ａ２÷（１０１６×Ａ）＝８×１０−３０Ｊ×Ａ
・電気の光子１個のエネルギー×電気の光子の公転軌道はいくらか。
電気の光子１個のエネルギー×電気の光子の公転軌道＝８×１０−３０Ｊ×Ａ×１．２５×１０−１０ｍ÷Ａ＝１０−３９Ｊ・ｍ
・１秒間にできる電気の光子のエネルギーはいくらか。
１秒間にできる電気の光子のエネルギー＝電気の光子１個のエネルギー×１秒間の公転数＝８×１０−３０Ｊ×Ａ×１０１６×Ａ回＝８×１０−１４Ｊ×Ａ２
・１秒間にできる電気の光子のエネルギー×電気の光子の公転軌道（電気の光子の軌道エ  ネルギー）はいくらか。
１秒間にできる電気の光子のエネルギー×電気の光子の公転軌道（電気の光子の軌道エネルギー）＝８×１０−１４Ｊ×Ａ２×１．２５×１０−１０ｍ÷Ａ＝１０−２３×ＡＪ・ｍ
「請求項２２」宇宙の年齢における電気の光子１個のエネルギーは地上の電気の光子１個のエネルギー何倍になるか。宇宙の年齢における磁気の光子１個のエネルギーは地上の磁気の光子１個のエネルギーの何倍になるか。宇宙の年齢における電子のラブ１個のエネルギーは地上の電子のラブ１個のエネルギー何倍になるか。宇宙の年齢における陽子のラブ１個のエネルギーは地上の陽子のラブ１個のエネルギー何倍になるか。これは誤りです。
・宇宙の年齢における電気の光子１個のエネルギーは地上の電気の光子１個のエネルギー  何倍になるか。Ａ倍になる。
・宇宙の年齢における磁気の光子１個のエネルギーは地上の磁気の光子１個のエネルギー  の何倍になるか。Ａ倍になる。
・宇宙の年齢における電子のラブ１個のエネルギーは地上の電子のラブ１個のエネルギー  何倍になるか。Ａ倍になる。
・宇宙の年齢における陽子のラブ１個のエネルギーは地上の陽子のラブ１個のエネルギー  何倍になるか。Ａ倍になる。
☆秒速に関する問題は誤りです。
１６．  宇宙の年齢において、電子のラブが１ｍ走る（回転する）とどれだけのエネルギーに成るか。
電子のラブが走るエネルギーは光子のエネルギーになりますから、１ｍ走る時のエネルギーをｘとします。
ｘ×秒速＝１秒間にできる光子のエネルギー
ｘ＝１秒間にできる光子のエネルギー÷秒速＝８×１０−１４Ｊ×Ａ２÷（４×１０６ｍ）＝２×１０−２０Ｊ／ｍ×Ａ２
宇宙の年齢において、電子のラブが１ｍ走る（回転する）と２×１０−２０Ｊ／ｍ×Ａ２のエネルギーになる。このエネルギーが光子のエネルギーに成る。
【発明の効果】
【０００６】１．電子のラブが１ｍ走るエネルギーは、２×１０−２０Ｊです。陽子のラブが１ｍ走るエネルギーは、３．８２２×１０−１７Ｊである事が理解できた。このエネルギーが光子のエネルギーに成る事が理解できた。
２．電子の軌道のエネルギーは、電子のラブがその軌道を１週するときのエネルギーである事が理解できた。陽子の軌道のエネルギーは、陽子のラブがその軌道を１週するときのエネルギーである事が理解できた。
従って、ラブの軌道エネルギーは軌道が大きいと大きい。
３．電子のラブが１秒間に作るエネルギーは、電子のラブがどのような軌道を回転する場合も８×１０−１４Ｊです。陽子のラブが１秒間に作るエネルギーは、陽子のラブがどのような軌道を回転する場合も８×１０−１４Ｊです。
４．電子のラブが軌道を走った時できる光子のエネルギーは、軌道を拡大すると、エネルギーは減少する。光子の軌道×エネルギー＝一定です。
これは、本発明者が従来考えていた事と同じです。
５．中性子の電子のラブと中性子の陽子のラブの１秒間の回転数は同じで、１自転でできる磁気の光子のエネルギーは同じです。この事により、中性子の電子のラブと中性子の陽子のラブは同じ引力で引き合って、回転している事が理解できた。
【図面の簡単な説明】
【０００７】
【図１】電子の公転軌道が１０−１１ｍの場合。自転数と１自転でできる磁気の光子１個のエネルギーと１秒間にできる磁気の光子のエネルギーを示す。公転数と１公転でできる電気の光子１個のエネルギーと１秒間にできる電気の光子のエネルギーを示す。
【図２】電子の公転軌道が１．２５×１０−１０ｍの場合。
【図３】電子の公転軌道が１０−９ｍの場合。
【図４】電気の光子の軌道が１００倍に成ると、その中に１０８個の磁気の光子が回転している。その１個の磁気の光子の軌道も１００倍に成る。それで、その磁気の光子１個のエネルギーは１００分の１になる。電気の光子１個のエネルギーも１／１００になる。
【図５】電子の公転軌道が１０−１１ｍの場合。光子が１００倍に拡大した場合。光子の軌道のエネルギーと１秒間できた光子のエネルギーはどれ位になるかを示す。
【図６】電子の公転軌道が１．２５×１０−１０ｍの場合。光子が１００倍に拡大した場合。
【図７】電子の公転軌道が１０−９ｍの場合。光子が１００倍に拡大した場合。
【図８】中性子の核磁気モーメントが−１．９１３の場合。中性子の電子のラブは１秒間に１０２７回自転し、１自転でできる磁気の光子のエネルギーは７×１０−４１Ｊです。中性子の陽子のラブは１秒間に１０２７回自転し、１自転でできる磁気の光子のエネルギーは７×１０−４１Ｊです。中性子の核磁気モーメントが−０．１５の場合。中性子の電子のラブは１秒間に１．３×１０２８回自転し、１自転でできる磁気の光子のエネルギーは５．９×１０−４２Ｊです。中性子の陽子のラブは１秒間に１．３×１０２８回自転し、１自転でできる磁気の光子のエネルギーは５．９×１０−４２Ｊです。中性子の電子のラブと中性子の陽子のラブは同じ引力で引き合い、手を結びながら自転し、公転している。
【符号の説明】
【０００８】１  電子のラブ
２  陽子のラブ
３  自転軌道
４  公転軌道
５  磁気の光子の軌道
６  電気の光子の軌道
７  １０８個の磁気の光子がある。
８  中性子の電子のラブ
９  中性子の電子のラブの自転軌道
１０  中性子の陽子のラブ
１１  中性子の陽子のラブの自転軌道
１２  中性子の電子のラブの公転軌道
【図１】
2006204093.tif 000008
【図２】
2006204093.tif 000009
【図３】
2006204093.tif 000010
【図４】
2006204093.tif 000011
【図５】
2006204093.tif 000012
【図６】
2006204093.tif 000013
【図７】
2006204093.tif 000014
【図８】
2006204093.tif 000015